(57)【要約】【課題】近距離通信（ＮＦＣ）システムを提供すること。【解決手段】ＮＦＣシステムは、第１のＮＦＣセンサーを含むプラグインデバイスと、モバイルワイヤレス通信デバイスとを含み、該モバイルワイヤレス通信デバイスが、プラグインデバイスポートを規定するハウジングと、該ハウジングによって載せられる光源と、該ポータブルハウジングによって載せられる光学センサーと、該ポータブルハウジングによって載せられる第２のＮＦＣセンサーと、該ポータブルハウジングによって載せられ、かつ該光源、該光学センサー、および該第２のＮＦＣセンサーに連結されるコントローラであって、該コントローラが、該光源に、該第１および第２のＮＦＣセンサーの間のＮＦＣ通信と該周囲の光レベルとに基づいて該プラグインデバイスポートを照明させるように構成される、コントローラとを含む。【選択図】図１
2012044662.tif 000002
【特許請求の範囲】
【請求項１】
近距離通信（ＮＦＣ）システムであって、該ＮＦＣシステムは、
第１のＮＦＣセンサーを含むプラグインデバイスと、
モバイルワイヤレス通信デバイスと
を含み、該モバイルワイヤレス通信デバイスが、
プラグインデバイスポートを規定するハウジングと、
該ハウジングによって保持される光源であって、該光源が、該プラグインデバイスポートを照明するように配置される、光源と、
該ポータブルハウジングによって保持される光学センサーであって、該光学センサーが、周囲の光レベルを決定するように構成される、光学センサーと、
該ポータブルハウジングによって保持される第２のＮＦＣセンサーであって、該第２のＮＦＣセンサーが、該第１のＮＦＣセンサーと接近しているときに該第１のＮＦＣセンサーとＮＦＣ通信を確立するように構成される、第２のＮＦＣセンサーと、
該ポータブルハウジングによって保持され、かつ該光源、該光学センサー、および該第２のＮＦＣセンサーに連結されるコントローラであって、該コントローラが、該第１のＮＦＣセンサーと該第２のＮＦＣセンサーとの間のＮＦＣ通信と、該周囲の光レベルとに基づいて、該光源に該プラグインデバイスポートを照明させるように構成される、コントローラと
を含む、ＮＦＣシステム。
【請求項２】
前記コントローラは、前記第１のＮＦＣセンサーと前記第２のＮＦＣセンサーとの間のＮＦＣ通信と、閾値の光レベル以下である前記周囲の光レベルとに基づいて、前記光源に前記プラグインデバイスポートを照明させるように構成される、請求項１に記載のＮＦＣシステム。
【請求項３】
前記コントローラは、前記第１のＮＦＣセンサーと前記第２のＮＦＣセンサーとの間のＮＦＣ通信と、前記周囲の光レベルとに基づいて、異なる明るさを用いて前記光源に前記プラグインデバイスポートを照明させるように構成される、請求項１に記載のＮＦＣシステム。
【請求項４】
前記コントローラは、前記プラグインデバイスポートとの前記プラグインデバイスの物理的接続に基づいて、前記光源に該プラグインデバイスポートの照明を変えさせるようにさらに構成される、請求項１に記載のＮＦＣシステム。
【請求項５】
前記モバイルワイヤレス通信デバイスは、前記ポータブルハウジングによって保持され、かつ前記コントローラに連結されるディスプレイをさらに含み、該コントローラが、該ディスプレイに、前記プラグインデバイスポートの位置を示すための位置インジケーターを表示させるように構成される、請求項１に記載のＮＦＣシステム。
【請求項６】
前記モバイルワイヤレス通信デバイスは、前記ポータブルハウジングによって保持され、かつ前記コントローラに連結されるディスプレイをさらに含み、該コントローラが、前記プラグインデバイスと前記プラグインデバイスポートとが不適合性であるか否かを決定し、もしそうである場合、該ディスプレイに不適合のインジケーターを表示させるようにさらに構成される、請求項１に記載のＮＦＣシステム。
【請求項７】
前記プラグインデバイスは、複数の異なるプラグインデバイスを含み、前記プラグインデバイスポートが、複数の異なるプラグインデバイスポートを含み、前記コントローラは、それぞれのプラグインデバイスタイプの前記第２のＮＦＣセンサーと前記第１のＮＦＣセンサーとの間のＮＦＣ通信に基づいて、前記光源に該プラグインデバイスポートのうちの所与の１つを照明させるように構成される、請求項１に記載のＮＦＣシステム。
【請求項８】
第１の近距離通信（ＮＦＣ）センサーを含むプラグインデバイスと共に使用されることが可能な電子デバイスであって、該電子デバイスは、
プラグインデバイスポートを規定するハウジングと
該ハウジングによって保持される光源であって、該光源が、該プラグインデバイスポートを照明するように配置される、光源と、
該ハウジングによって保持される光学センサーであって、該光学センサーが、周囲の光レベルを決定するように構成される、光学センサーと、
該ハウジングによって保持される第２のＮＦＣセンサーであって、該第２のＮＦＣセンサーが、該第１のＮＦＣセンサーと接近しているときに該第１のＮＦＣセンサーとＮＦＣ通信を確立するように構成される、第２のＮＦＣセンサーと、
該ハウジングによって保持され、かつ該光源、該光学センサー、および該第２のＮＦＣセンサーに連結されるコントローラであって、該コントローラが、該第１のＮＦＣセンサーと該第２のＮＦＣセンサーとの間のＮＦＣ通信と、該周囲の光レベルとに基づいて、該光源に該プラグインデバイスポートを照明させるように構成される、コントローラと
を含む、電子デバイス。
【請求項９】
前記コントローラは、前記第１のＮＦＣセンサーと前記第２のＮＦＣセンサーとの間のＮＦＣ通信と、閾値の光レベル以下である前記周囲の光レベルとに基づいて、前記光源に前記プラグインデバイスポートを照明させるように構成される、請求項８に記載の電子デバイス。
【請求項１０】
前記コントローラは、前記第１のＮＦＣセンサーと前記第２のＮＦＣセンサーとの間のＮＦＣ通信と、前記周囲の光レベルとに基づいて、異なる明るさを用いて前記光源に前記プラグインデバイスポートを照明させるように構成される、請求項８に記載の電子デバイス。
【請求項１１】
前記コントローラは、前記プラグインデバイスポートへの前記プラグインデバイスの物理的接続に基づいて、前記光源に該プラグインデバイスポートの照明を変えさせるようにさらに構成される、請求項８に記載の電子デバイス。
【請求項１２】
第１の近距離通信（ＮＦＣ）センサーを含む少なくとも１つのプラグインデバイスと、モバイルワイヤレス通信デバイスとを使用する方法であって、該モバイルワイヤレス通信デバイスが、
プラグインデバイスポートを規定するハウジングと、
該ポータブルハウジングによって保持される光源であって、該光源が、該プラグインデバイスポートを照明するように配置される、光源と、
該ポータブルハウジングによって保持される光学センサーと、
該ポータブルハウジングによって保持される第２のＮＦＣセンサーと
を含み、該方法は、
互いに接近しているときに該第１のＮＦＣセンサーと該第２のＮＦＣセンサーとの間のＮＦＣ通信を確立することと、
該光学センサーを用いて周囲の光レベルを決定することと、
該第１のＮＦＣセンサーと該第２のＮＦＣセンサーとの間のＮＦＣ通信と、該周囲の光レベルとに基づいて該プラグインデバイスポートを照明することと
を含む、方法。
【請求項１３】
前記照明することは、前記第１のＮＦＣセンサーと前記第２のＮＦＣセンサーとの間のＮＦＣ通信と、閾値の光レベル以下である前記周囲の光レベルとに基づいて前記プラグインデバイスポートを照明することを含む、請求項１２に記載の方法。
【請求項１４】
前記照明することは、前記第１のＮＦＣセンサーと前記第２のＮＦＣセンサーとの間のＮＦＣ通信と、前記周囲の光レベルとに基づいて、異なる明るさを用いて前記プラグインデバイスポートを照明することを含む、請求項１２に記載の方法。
【請求項１５】
前記照明することは、前記プラグインデバイスポートとの前記プラグインデバイスの物理的接続に基づいて、該プラグインデバイスポートの照明を変えることをさらに含む、請求項１２に記載の方法。
【発明の詳細な説明】
【技術分野】
【０００１】
技術分野
本開示は、通信の分野に関し、より具体的には、近距離通信（ＮＦＣ）を使用する電子デバイスおよび関連する方法に関する。
【背景技術】
【０００２】
背景
モバイル通信システムは、人気が成長し続け、個人通信およびビジネス通信の両方の必須の部分になってきた。さまざまなモバイルデバイスは、ここで、パーソナルデジタルアシスタント（ＰＤＡ）の特徴（例えば、カレンダー、アドレス帳、タスクリスト、計算機、メモおよび書き込みプログラム、メディアプレーヤーなど）を組み込む。これらのマルチ機能デバイスは、例えば、通常、電子メール（ｅｍａｉｌ）メッセージが、ワイヤレスに送受信されること、ならびに、セルラネットワークおよび／またはワイヤレスローカルエリアネットワーク（ＷＬＡＮ）を経由してインターネットにアクセスすることを可能にする。
【０００３】
いくつかのモバイルデバイスは、非接触カード技術および／または近距離通信（ＮＦＣ）チップを組み込む。ＮＦＣ技術は、電子デバイス（モバイルワイヤレス通信デバイスを含む）間の通信を可能にするために磁場誘導を用いて、無線周波数識別（ＲＦＩＤ）標準に基づいて非接触短距離通信に使用される。この短距離高周波数ワイヤレス通信技術は、短距離（例えば、わずか数センチメートル）にわたって、デバイス間でデータを交換する。
【０００４】
ＮＦＣ技術がより広範囲に採用されるようになって、ＮＦＣ技術は、今や、他の短距離ワイヤレス通信（例えば、ワイヤレスＢｌｕｅｔｏｏｔｈ接続）と関連するポータブルワイヤレス通信と共に使用される。例えば、ＮＦＣ接続は、しばしば、Ｂｌｕｅｔｏｏｔｈ接続を確立するデータが通信されるワイヤレスＢｌｕｅｔｏｏｔｈ接続を確立するために使用される。
【発明の概要】
【課題を解決するための手段】
【０００５】
本記述は、添付の図面を参照することによってなされ、例の実施形態が本明細書内に示される。しかし、多くの異なる実施形態が使われ得、従って、記述は、以後本明細書において示される実施形態に限定されるように構成されるべきではない。むしろ、これらの実施形態が提供され、その結果として、本開示は、綿密かつ完全になる。同様の数字は、全文を通じて同様の構成要素を指し、主要の表記は、代替的な実施形態において類似の構成要素またはステップを示すように使われる。
【０００６】
概して言うと、近距離通信（ＮＦＣ）システムが、本明細書に開示され、第１のＮＦＣセンサーを含む少なくとも１つのプラグインデバイスと、モバイルワイヤレス通信デバイスとを含み得る。より具体的には、モバイルワイヤレス通信デバイスは、少なくとも１つのプラグインデバイスポートを規定するポータブルハウジングと、ポータブルハウジングによって保持され、かつ少なくとも１つのプラグインデバイスポートを照明するように配置される少なくとも１つの光源と、ポータブルハウジングによって保持される、周囲の光レベルを決定するように構成される光学センサーと、ポータブルハウジングによって保持され、かつ第１のＮＦＣセンサーと接近しているときに第１のＮＦＣセンサーとＮＦＣ通信を確立するように構成される第２のＮＦＣセンサーとを含み得る。モバイルワイヤレス通信デバイスは、ポータブルハウジングによって保持され、かつ少なくとも１つの光源、光学センサー、および第２のＮＦＣセンサーに連結され、かつ少なくとも１つの光源に、第１のＮＦＣセンサーと第２のＮＦＣセンサーとの間のＮＦＣ通信と、周囲の光レベルとに基づいて少なくとも１つのプラグインデバイスポートを照明させるように構成されるコントローラをさらに含み得る。このように、少なくとも１つのプラグインデバイスポートは、周囲の光レベルに基づいて適切であるように少なくとも１つのプラグインデバイスのよりコントロールされ、かつシステマチックなプラグインを可能にすることに有利なように照明され得る。
【０００７】
より具体的には、コントローラは、少なくとも１つの光源に、第１のＮＦＣセンサーと第２のＮＦＣセンサーとの間のＮＦＣ通信と、閾値の光レベル以下である周囲の光レベルとに基づいて少なくとも１つのプラグインデバイスポートを照明させるように構成され得る。さらに、コントローラは、第１のＮＦＣセンサーと第２のＮＦＣセンサーとの間のＮＦＣ通信と、周囲の光レベルとに基づいて、異なる明るさを用いて少なくとも１つの光源に少なくとも１つのプラグインデバイスポートを照明させるように構成され得る。加えて、コントローラは、少なくとも１つの光源に、少なくとも１つのプラグインデバイスポートへの少なくとも１つのプラグインデバイスの接続に基づいて少なくとも１つのプラグインデバイスポートの照明を変えさせるようにさらに構成され得る。
【０００８】
モバイルワイヤレス通信デバイスは、ポータブルハウジングによって保持され、かつコントローラに連結されるディスプレイをさらに含み得る。このように、このコントローラは、少なくとも１つの光源が少なくとも１つのプラグインデバイスポートを照明するとき、ディスプレイに、少なくとも１つのプラグインデバイスポートに対して位置インジケーターを表示させるように構成され得る。また、コントローラは、少なくとも１つのプラグインデバイスおよび少なくとも１つのプラグインデバイスポートが不適合であるか否かを決定し、もしそうである場合、ディスプレイに不適合のインジケーターを表示させるようにさらに構成され得る。
【０００９】
少なくとも１つのプラグインデバイスは、複数の、いくつかの実施形態の異なるプラグインデバイスを含み得、少なくとも１つのプラグインデバイスポートは、複数の異なるプラグインデバイスポートを含み得る。このように、コントローラは、少なくとも１つの光源に、第２のＮＦＣセンサーと別のプラグインデバイスタイプの第１のＮＦＣセンサーとの間のＮＦＣ通信に基づいてプラグインデバイスポートのうちの所与の１つを照明させるように構成され得る。一例として、少なくとも１つの光源は、少なくとも１つの発光ダイオード（ＬＥＤ）を含み得る。さらに、少なくとも１つのプラグインデバイスは、少なくとも１つのユニバーサルシリアルバス（ＵＳＢ）ケーブルを含み得、少なくとも１つのプラグインデバイスポートは、少なくとも１つのＵＳＢポートを含み得る。加えて、モバイルワイヤレス通信デバイスは、コントローラに連結され、かつワイヤレス通信ネットワークにわたって通信するために構成されるワイヤレストランシーバーも含み得る。
【００１０】
上に簡潔に説明されたデバイスのような関連のモバイルワイヤレス通信デバイスも提供される。さらに、電子デバイスがまた、提供され、第１のＮＦＣセンサーを含む少なくとも１つのプラグインデバイスと共に使用するためである。電子デバイスは、少なくとも１つのプラグインデバイスポートを規定するハウジングと、ハウジングによって保持され、かつ少なくとも１つのプラグインデバイスポートを照明するように配置される少なくとも１つの光源と、ハウジングによって保持される、周囲の光レベルを決定するように構成される光学センサーと、ハウジングによって保持され、かつ第１のＮＦＣセンサーと接近しているときに第１のＮＦＣセンサーとＮＦＣ通信を確立するように構成される第２のＮＦＣセンサーとを含み得る。電子デバイスは、ハウジングによって保持され、かつ少なくとも１つの光源、光学センサー、および第２のＮＦＣセンサーに連結され、かつ第１のＮＦＣセンサーと第２のＮＦＣセンサーとの間のＮＦＣ通信と、周囲の光レベルとに基づいて、少なくとも１つの光源に少なくとも１つのプラグインデバイスポートを照明させるように構成されるコントローラをさらに含み得る。
【００１１】
関連の方法は、少なくとも１つのプラグインデバイスと、上に簡潔に説明されたデバイスのようなモバイルワイヤレス通信デバイスとを用いるためである。方法は、互いに接近したときに第１のＮＦＣセンサーと第２のＮＦＣセンサーとの間のＮＦＣ通信を確立することと、光学センサーを用いて周囲の光レベルを決定することと、第１のＮＦＣセンサーと第２のＮＦＣセンサーとの間のＮＦＣ通信と、周囲の光レベルとに基づいて少なくとも１つのプラグインデバイスポートを照明することとを含み得る。
【００１２】
例えば、本発明は以下の項目を提供する。
（項目１）  近距離通信（ＮＦＣ）システムであって、該ＮＦＣシステムは、
第１のＮＦＣセンサーを含むプラグインデバイスと、
モバイルワイヤレス通信デバイスと
を含み、該モバイルワイヤレス通信デバイスが、
プラグインデバイスポートを規定するハウジングと、
該ハウジングによって保持される光源であって、該光源が、該プラグインデバイスポートを照明するように配置される、光源と、
該ポータブルハウジングによって保持される光学センサーであって、該光学センサーが、周囲の光レベルを決定するように構成される、光学センサーと、
該ポータブルハウジングによって保持される第２のＮＦＣセンサーであって、該第２のＮＦＣセンサーが、該第１のＮＦＣセンサーと接近しているときに該第１のＮＦＣセンサーとＮＦＣ通信を確立するように構成される、第２のＮＦＣセンサーと、
該ポータブルハウジングによって保持され、かつ該光源、該光学センサー、および該第２のＮＦＣセンサーに連結されるコントローラであって、該コントローラが、該第１のＮＦＣセンサーと該第２のＮＦＣセンサーとの間のＮＦＣ通信と、該周囲の光レベルとに基づいて、該光源に該プラグインデバイスポートを照明させるように構成される、コントローラと
を含む、ＮＦＣシステム。
（項目２）  上記コントローラは、上記第１のＮＦＣセンサーと上記第２のＮＦＣセンサーとの間のＮＦＣ通信と、閾値の光レベル以下である上記周囲の光レベルとに基づいて、上記光源に上記プラグインデバイスポートを照明させるように構成される、上記項目のいずれかに記載のＮＦＣシステム。
（項目３）  上記コントローラは、上記第１のＮＦＣセンサーと上記第２のＮＦＣセンサーとの間のＮＦＣ通信と、上記周囲の光レベルとに基づいて、異なる明るさを用いて上記光源に上記プラグインデバイスポートを照明させるように構成される、上記項目のいずれかに記載のＮＦＣシステム。
（項目４）  上記コントローラは、上記プラグインデバイスポートとの上記プラグインデバイスの物理的接続に基づいて、上記光源に該プラグインデバイスポートの照明を変えさせるようにさらに構成される、上記項目のいずれかに記載のＮＦＣシステム。
（項目５）  上記モバイルワイヤレス通信デバイスは、上記ポータブルハウジングによって保持され、かつ上記コントローラに連結されるディスプレイをさらに含み、該コントローラが、該ディスプレイに、上記プラグインデバイスポートの位置を示すための位置インジケーターを表示させるように構成される、上記項目のいずれかに記載のＮＦＣシステム。
（項目６）  上記モバイルワイヤレス通信デバイスは、上記ポータブルハウジングによって保持され、かつ上記コントローラに連結されるディスプレイをさらに含み、該コントローラが、上記プラグインデバイスと上記プラグインデバイスポートとが不適合性であるか否かを決定し、もしそうである場合、該ディスプレイに不適合のインジケーターを表示させるようにさらに構成される、上記項目のいずれかに記載のＮＦＣシステム。
（項目７）  上記プラグインデバイスは、複数の異なるプラグインデバイスを含み、上記プラグインデバイスポートが、複数の異なるプラグインデバイスポートを含み、上記コントローラは、それぞれのプラグインデバイスタイプの上記第２のＮＦＣセンサーと上記第１のＮＦＣセンサーとの間のＮＦＣ通信に基づいて、上記光源に該プラグインデバイスポートのうちの所与の１つを照明させるように構成される、上記項目のいずれかに記載のＮＦＣシステム。
（項目８）  第１の近距離通信（ＮＦＣ）センサーを含むプラグインデバイスと共に使用されることが可能な電子デバイスであって、該電子デバイスは、
プラグインデバイスポートを規定するハウジングと
該ハウジングによって保持される光源であって、該光源が、該プラグインデバイスポートを照明するように配置される、光源と、
該ハウジングによって保持される光学センサーであって、該光学センサーが、周囲の光レベルを決定するように構成される、光学センサーと、
該ハウジングによって保持される第２のＮＦＣセンサーであって、該第２のＮＦＣセンサーが、該第１のＮＦＣセンサーと接近しているときに該第１のＮＦＣセンサーとＮＦＣ通信を確立するように構成される、第２のＮＦＣセンサーと、
該ハウジングによって保持され、かつ該光源、該光学センサー、および該第２のＮＦＣセンサーに連結されるコントローラであって、該コントローラが、該第１のＮＦＣセンサーと該第２のＮＦＣセンサーとの間のＮＦＣ通信と、該周囲の光レベルとに基づいて、該光源に該プラグインデバイスポートを照明させるように構成される、コントローラと
を含む、電子デバイス。
（項目９）  上記コントローラは、上記第１のＮＦＣセンサーと上記第２のＮＦＣセンサーとの間のＮＦＣ通信と、閾値の光レベル以下である上記周囲の光レベルとに基づいて、上記光源に上記プラグインデバイスポートを照明させるように構成される、上記項目のいずれかに記載の電子デバイス。
（項目１０）  上記コントローラは、上記第１のＮＦＣセンサーと上記第２のＮＦＣセンサーとの間のＮＦＣ通信と、上記周囲の光レベルとに基づいて、異なる明るさを用いて上記光源に上記プラグインデバイスポートを照明させるように構成される、上記項目のいずれかに記載の電子デバイス。
（項目１１）  上記コントローラは、上記プラグインデバイスポートへの上記プラグインデバイスの物理的接続に基づいて、上記光源に該プラグインデバイスポートの照明を変えさせるようにさらに構成される、上記項目のいずれかに記載の電子デバイス。
（項目１２）  第１の近距離通信（ＮＦＣ）センサーを含む少なくとも１つのプラグインデバイスと、モバイルワイヤレス通信デバイスとを使用する方法であって、該モバイルワイヤレス通信デバイスが、
プラグインデバイスポートを規定するハウジングと、
該ポータブルハウジングによって保持される光源であって、該光源が、該プラグインデバイスポートを照明するように配置される、光源と、
該ポータブルハウジングによって保持される光学センサーと、
該ポータブルハウジングによって保持される第２のＮＦＣセンサーと
を含み、該方法は、
互いに接近しているときに該第１のＮＦＣセンサーと該第２のＮＦＣセンサーとの間のＮＦＣ通信を確立することと、
該光学センサーを用いて周囲の光レベルを決定することと、
該第１のＮＦＣセンサーと該第２のＮＦＣセンサーとの間のＮＦＣ通信と、該周囲の光レベルとに基づいて該プラグインデバイスポートを照明することと
を含む、方法。
（項目１３）  上記照明することは、上記第１のＮＦＣセンサーと上記第２のＮＦＣセンサーとの間のＮＦＣ通信と、閾値の光レベル以下である上記周囲の光レベルとに基づいて上記プラグインデバイスポートを照明することを含む、上記項目のいずれかに記載の方法。
（項目１４）  上記照明することは、上記第１のＮＦＣセンサーと上記第２のＮＦＣセンサーとの間のＮＦＣ通信と、上記周囲の光レベルとに基づいて、異なる明るさを用いて上記プラグインデバイスポートを照明することを含む、上記項目のいずれかに記載の方法。
（項目１５）  上記照明することは、上記プラグインデバイスポートとの上記プラグインデバイスの物理的接続に基づいて、該プラグインデバイスポートの照明を変えることをさらに含む、上記項目のいずれかに記載の方法。
【００１３】
（摘要）
近距離通信（ＮＦＣ）システムは、第１のＮＦＣセンサーを含むプラグインデバイスとモバイルワイヤレス通信デバイスとを含み得る。モバイルワイヤレス通信デバイスが、プラグインデバイスポートを規定するハウジングと、該ハウジングによって保持される光源であって、該光源が、該プラグインデバイスポートを照明するように配置される、光源と、該ポータブルハウジングによって保持される光学センサーであって、該光学センサーが、周囲の光レベルを決定するように構成される、光学センサーと、該ポータブルハウジングによって保持される第２のＮＦＣセンサーであって、該第２のＮＦＣセンサーが、該第１のＮＦＣセンサーと接近しているときに該第１のＮＦＣセンサーとのＮＦＣ通信を確立するように構成される、第２のＮＦＣセンサーとを含み得る。コントローラは、ポータブルハウジングによって保持され、かつ光源、光学センサー、および第２のＮＦＣセンサーに連結され、コントローラが、光源に、第１のＮＦＣセンサーと第２のＮＦＣセンサーとの間のＮＦＣ通信と、該周囲の光レベルとに基づいて、プラグインデバイスポートを照明させるように構成され得る。
【図面の簡単な説明】
【００１４】
【図１】図１は、例の実施形態に従う近距離通信（ＮＦＣ）システムの概略的なブロックダイヤグラムである。
【図２】図２は、図１のＮＦＣシステムの代替的な実施形態の概略的なブロックダイヤグラムである。
【図３】図３は、例示のモバイルワイヤレス通信デバイスがプラグインケーブルに位置インジケーターを提供する、図１のシステムの例のインプリメンテーションの正面図である。
【図４】図４は、例示のモバイルワイヤレス通信デバイスがプラグインケーブルに不適合のインジケーターを提供する、図１のシステムの代替的な例のインプリメンテーションの正面図である。
【図５】図５は、図１から図４までのシステムに関連する方法の側面を例示するフローダイヤグラムである。
【図６】図６は、図１から図４までのシステムに関連する方法の側面を例示するフローダイヤグラムである。
【図７】図７は、図１から図４までのシステムに関連する方法の側面を例示するフローダイヤグラムである。
【図８】図８は、図１から図４までのＮＦＣシステムと共に使われ得るモバイルワイヤレス通信デバイスの例の構成要素を例示する概略的なブロックダイヤグラムである。
【発明を実施するための形態】
【００１５】
最初に図１および５を参照すると、近距離通信（ＮＦＣ）システム３０は、例示的に、第１のＮＦＣセンサーまたは回路３２と、第２のＮＦＣセンサーまたは回路３５を含むモバイルワイヤレス通信デバイス３３（本明細書において「モバイルデバイス」とも呼ばれる）とを含むプラグインデバイス３１を含む。ケーブル、メモリデバイス、ポータブルフラッシュドライバー、ポータブルメディアプレーヤー、プロジェクタ、ヘッドフォン、外部キーパッド等のようなさまざまなタイプのプラグインデバイスが、使われ得、これらは、そうでなければ、モバイルデバイスまたは他の電子デバイス上におけるそれぞれのプラグインポートに接続されるように適合される。
【００１６】
ＮＦＣは、無線周波数識別（ＲＦＩＤ）の短距離の変形であり、典型的に、約１３．５６ＭＨｚで動作する。ＮＦＣテクノロジーは、最大約２０センチメートルの範囲で、埋め込みのＮＦＣチップセットを有するモバイルデバイスとＩＳＯ  １４４４３リーダー端末との間にワイヤレス接続が確立されることを可能にし、その結果、デバイスが「スワイプされ」または他の方法で通信するために近く移動される。ＮＦＣは、モバイルバンキング、発券、安全な物理アクセス等のようなさまざまな適用に使われ得る共通テクノロジーである。モバイルデバイス３３は、以下さらに議論されるように、いくつかの実施形態において追加の、ＮＦＣ以上のワイヤレス能力をさらに含み得、しかしこのことは、全実施形態において必要とされるわけではない。例のモバイルデバイスは、ポータブルまたは個人メディアプレーヤー（例えば、ＭＰ３プレーヤー、ビデオプレーヤー等）、リモートコントロール（例えば、テレビジョンまたはステレオリモート等）、ポータブルゲームデバイス、ポータブルまたはモバイル電話、スマートフォン等を含み得る。
【００１７】
モバイルデバイス３３は、例示的に、プラグインデバイスポート３６を規定するポータブルハウジング３４を含む。例をとして、プラグインデバイスポートは、ユニバーサルシリアルバス（ＵＳＢ）またはマイクロＵＳＢポート、ヘッドフォンポート等であり得る。第２のＮＦＣセンサー３５は、ポータブルハウジング３４によって保持される。ブロック５０で始まると、第２のＮＦＣセンサー３５は、上で議論されたように、ブロック５１〜５２において、第１のＮＦＣセンサーと接近しているときに第１のＮＦＣセンサー３２とＮＦＣ通信を確立するように構成される。第１および第２のＮＦＣセンサー３２、３５は、異なる実施形態において受動またはアクティブなＮＦＣモードで動作し得る。発光ダイオード（単数または複数）のような光源３７はまた、例示的に、ポータブルハウジング３４によって保持され、そして以下さらに議論されるように、プラグインデバイスポート３６を照明するように配置される。さらに、光学センサー３８がさらに、ポータブルハウジング３３によって保持され、そして、ブロック５３において、周囲の光レベル、すなわち、モバイルデバイス３３の周囲の環境における光のレベルを決定するように構成される。
【００１８】
モバイルデバイス３３はさらに、例示的に、コントローラ３９を含み、コントローラが、ポータブルハウジング３４によって保持され、かつ、光源３７、光学センサー３８、および第２のＮＦＣセンサー３５に連結される。コントローラ３９は、例えば、光学センサー３８に、ＮＦＣ通信に関係する第１および第２のＮＦＣセンサー３２、３５のそれぞれに対して、周囲の光レベル決定または測定を行わせ得る。このことは、周囲の光レベル測定が必要されるときにのみ行われるように、電力節約を促進することを有利に助け得る。しかし、いくつかの実施形態において、周囲の光レベル測定は、例えば、断続的または周期的な基準で行われ得る。周囲の光レベル測定は、モバイルデバイス３３が位置する環境に対して適切なディスプレイ照明を提供するために、ディスプレイ等の明るさレベルをセットするような、他の機能をコントロールするためにも使われ得る。
【００１９】
コントローラ３９は、ブロック５４において、第１のＮＦＣセンサー３２と第２のＮＦＣセンサー３５との間のＮＦＣ通信と、周囲の光レベルとに基づいて、光源３７にプラグインデバイスポート３６を照明させ、このようにして、図５に例示される方法を終了する（ブロック５５）ように構成されるが、しかし、インプリメンテーションにおいては、これらのステップは、後続のデバイスプラグイン動作のために繰り返され得る。このことは、モバイルデバイスディスプレイの光は、ポート（例えば、ＵＳＢ、ヘッドセット等）の位置がしばしば捜し当てられるようなデバイスの側面、上面、後ろ、または底部を適切に照明するように一般に方向付けられないので、相対的に暗い環境においてモバイルデバイス上のこのようなポートの位置を捜し当てること、またはコントロール可能またはシステマチックな方式でポート内にプラグインデバイスを挿入しもしくはプラグインすることが難しいかもしれない場合に特に有利であり得る。
【００２０】
さらに、図６を参照すると、例として、コントローラ３９は、周囲の光レベルが、閾値の光レベル未満である場合に、ブロック５６’および５４’において、光源３７にプラグインデバイスポート３６を選択的に照明させ得る。したがって、モバイルデバイス３３が良好に照らされる環境内に位置していることによって、測定された周囲の光レベルが所与の閾値の光レベルよりも高い場合（例えば、良好に照らされる部屋、直射日光のある外部など）には、そうではなく、プラグインデバイスポート３６を見ることが容易であり、光源３７による照明が提供される必要はない。しかしながら、モバイルデバイス３３が乏しく照らされる環境に位置することによって、測定された周囲の光レベルが所与の閾値レベル未満である場合（例えば、暗い部屋の中、夜間における外部など）には、コントローラ３９が、光源３７にプラグインデバイスポート３６を有利に照明させ、プラグインデバイス３１の接続を支援する。閾値の光レベルは、さまざまな方法で確立され得る。例えば、この設定が、製造過程の間に固定され得る。この設定は、また、変更可能な設定であり得、その結果、閾値レベルが、例えば、コントローラ３９によって生成された画面上のメニューを介して変更され得る。
【００２１】
別の有利な特徴は、ブロック５７’−５８’において、コントローラ３９は、プラグインデバイス３１がプラグインポート３６に接続されると、プラグインポート３６の照明を変更し得ることである。例として、プラグインデバイスポート３６の照明レベルまたは明るさが、例えば、より暗くすることまたは光の色を変更することによって、変更され得る。したがって、例えば、光レベルまたは色における変更が、結果として、プラグインデバイス３１が適切に接続されていること、充電されていること、データを転送していることなどの視覚的表示を提供し得る。ブロック５９’における、プラグインデバイス３１の接続解除の際に、コントローラ３９は、次いで、ブロック６０’において、照明源３７にプラグインデバイス３６を照明することを中止させ得る。ブロック６１’において、第１のＮＦＣセンサー３２と第２のＮＦＣセンサー３５との間のＮＦＣ通信が確立された後のタイムアウト期間（すなわちセット期間）内に、プラグインデバイス３１がプラグインデバイスポート３６に差し込まれない場合には、コントローラ３９は、また、光源３７に、同様にプラグインデバイスを照明させることを中止させる（ブロック６０’）。
【００２２】
さらに、図７を参照すると、プラグインデバイスポート３６を照明する別のアプローチは、ブロック５５’’において、コントローラ３９が、照明源３７を異なる明るさでプラグインデバイスポートを照明させ得ることである。すなわち、図６を参照して上記されたようなプラグインデバイス３６を照明するか否か決定するために閾値の光レベルを用いずに、コントローラ３９は、例えば、良好に照らされた環境においてポートを見ることにより、プラグインデバイスのプラグインデバイスポートへのより制御されたシステマチックな挿入を可能にするために、より明るい明るさが有効であるか否かに依存して、光源３７に、より暗い環境においてはより明るい明るさを使用させ、より明るい環境においてはより暗い明るさを使用させ、またはその逆を行わせ得る。言い換えると、コントローラ３９は、光源３７に、所与の周囲の光レベルに基づいて適切なレベルにプラグインデバイス３６を照明させ得る。
【００２３】
ここで、図２を参照すると、この例において、モバイルデバイス３３’は、例示的に、複数のＬＥＤ光源３７ａ’、３７ｂ’を含み、ＬＥＤ光源３７ａ’、３７ｂ’は、各々、それぞれのプラグインデバイスポート３６ａ’、３６ｂ’を照明する。このような実施形態において、コントローラ３９’は、適切な光源３７ａ’、３７ｂ’に、それぞれのプラグインデバイスタイプの第２のＮＦＣセンサー３５’と第１のＮＦＣセンサー３２’との間のＮＦＣ通信に基づいて、プラグインデバイスポート３６ａ’、３６ｂ’のうちの所与の１つを照明させる。ここで、プラグインデバイス３１’は、プラグインデバイス３６ａ’に対応し（すなわち、これらは同一のタイプである）、そのため、コントローラ３９’は、プラグインデバイスポート３６ａ’を照明させるが、異なるタイプであるプラグインデバイスポート３６ｂ’を照明させない。例えば、プラグインデバイスポート３６ａ’はＵＳＢポートであり得、一方でプラグインデバイスポート３６ｂ’はマイクロＳＤポートであり得、そして、プラグインデバイス３１’は、ＵＳＢベースのプラグインデバイスポート３６ａ’と適合するＵＳＢプラグを有し得、そのため、この例においては、プラグインデバイスポート３６ａ’のみが照明され得る。例示された例において、モバイルデバイス３３’は、さらに以下で詳述されるように、それぞれのタイプのワイヤレスネットワークワイヤレストランシーバー６０’（セルラー、ＷｉＦｉ、ＷｉＭＡＸなど）をさらに含む。
【００２４】
ここで、図３を参照すると、ＮＦＣシステム４０の例示的な実装は、埋め込まれたＮＦＣセンサー４２を有するＵＳＢケーブル４１と、ディスプレイ４４およびＵＳＢポート４６を含むモバイルデバイス４３とを含む。例示の簡便さのために、図１および２を参照して上記されたものと類似した、光学センサー、光源、第２のＮＦＣセンサー、およびモバイルデバイス４３のコントローラ構成要素は、図３に示されない。モバイルデバイス４３のコントローラは、第１のＮＦＣセンサーおよび第２のＮＦＣセンサーが接近して通信を開始する場合に、プラグインデバイスポート４６の位置を示すために、ディスプレイ４４に、位置インジケーターを表示させるように有利に構成され得る。この例において、位置インジケーターは、ディスプレイ４４上の矢印６２の形態をとり、矢印６２は、示されるようにＵＳＢポート４６の位置を、「Ｐｌｕｇ  ＵＳＢ  Ｃａｂｌｅ  Ｉｎ  Ｈｅｒｅ」と読めるメッセージと共に指し示す。メッセージおよび矢印６２の方向は、異なるタイプのプラグインデバイスに対して変更され得る。例えば、埋め込まれたＮＦＣセンサーを有するヘッドフォンプラグが、モバイルデバイス４３に接近するようにされた場合には、矢印は、ディスプレイ４４の右上のコーナー（またはヘッドフォンポートの他の位置）を指し示し得、メッセージは、「Ｐｌｕｇ  Ｈｅａｄｐｈｏｎｅｓ  Ｉｎ  Ｈｅｒｅ」と読めるように変更し得る。他の位置インジケーターおよびメッセージは、また、異なる実施形態において使用され得る。
【００２５】
図４を参照すると、異なるスタイルのモバイルデバイス４３’を有する同様のシステム４０’が示され、これはＮＦＣケーブル４１’と適合しないＵＳＢコネクタポート４６’の異なるタイプを有する。したがって、ＮＦＣ通信が第１のＮＦＣセンサー４２’との間で確立されるとき、デバイス４３’のコントローラは、ＵＳＢケーブル４１’およびＵＳＢポート４６’は適合性がないことを、識別（ＩＤ）または第１のＮＦＣセンサー４２’によって提供された他の識別データに基づいて決定する。コントローラは、それに応じて、ディスプレイ４４’に、不適合のインジケーターを表示させる。この例において、不適合のインジケーターは、「ＩＮＣＯＭＰＡＴＩＢＬＥ  ＣＡＢＬＥ  ＴＹＰＥ  −  ＤＯ  ＮＯＴ  ＰＬＵＧ  ＩＮ！」と読めるメッセージの形態をとる。また、ここでは、他の不適合のインジケーターまたはメッセージが、また、異なる実施形態において使用され得る。
【００２６】
例示の明確さのために、位置インジケーターおよび不適合のインジケーターが図３および４に別個に示されているが、両方の特徴は、いくつかの実施形態において同一のモバイルデバイス内に実装され得ることが留意される。さらに、いくつかの実施形態において、位置インジケーターおよび不適合のインジケーターは、光源３７、３７’なしで使用され得る。すなわち、いくつかの実施形態において、別個の光源３７、３７’は含まれる必要がなく、ディスプレイ４４または４４’は、デバイスポート４６、４６’の照明なしで位置インジケーターまたは不適合のインジケーターを提供するために使用され得る。
【００２７】
上記のプラグインデバイスポート照明技術は、モバイルデバイスの他に他のタイプの電子デバイスおよび計算デバイスと共に使用され得ることが留意される。例えば、これらの技術は、また、電子デバイスと共に使用され得、この電子デバイスは、必ずしもポータブルであると考慮されないハウジング（例えば、テレビ機器、ステレオ機器、ビデオゲームコンソール、コンピュータなど）を有する。
【００２８】
上記の実施形態にしたがって使用され得るワイヤレス通信デバイス１０００の例示的な構成要素は、図８を参照してさらに以下に記載される。デバイス１０００は、例示的に、ハウジング１２００と、キーパッド１４００と、出力デバイス１６００とを含む。示される出力デバイスは、ディスプレイ１６００であり、フルグラフィックＬＣＤを含み得る。他のタイプの出力デバイスが、代替的に利用され得る。処理デバイス１８００は、ハウジング１２００内に収容され、キーパッド１４００とディスプレイ１６００との間に結合される。処理デバイス１８００は、キーパッド１４００のキーの作動に応答して、ディスプレイ１６００の動作を制御し、同様に、モバイルデバイス１０００の全体の動作も制御する。
【００２９】
ハウジング１２００は、垂直方向に細長くあり得るか、または、他のサイズおよび形状（クラムシェルハウジング構造を含む）をとり得る。キーパッドは、モード選択キー、あるいは、テキスト入力と電話入力との間を切り換える他のハードウェアまたはソフトウェアを含み得る。
【００３０】
処理デバイス１８００に加え、モバイルデバイス１０００の他のパーツが図８に概略的に示される。これらは、通信サブシステム１００１と；短距離通信サブシステム１０２０と；他の入出力デバイス１０６０、１０８０、１１００および１１２０と一緒にキーパッド１４００およびディスプレイ１６００と；メモリデバイス１１６０、１１８０およびさまざまな他のデバイスサブシステム１２０１とを含む。モバイルデバイス１０００は、データ通信能力およびオプションで音声通信能力を有する双方向ＲＦ通信デバイスを備え得る。さらに、モバイルデバイス１０００は、インターネットを経由して他のコンピュータシステムと通信する能力を有し得る。
【００３１】
処理デバイス１８００によって実行されるオペレーティングシステムソフトウェアは、永続的格納装置（例えば、フラッシュメモリ１１６０）に格納されるが、他のタイプのメモリデバイス（例えば、読み取り専用メモリ（ＲＯＭ）または類似の格納要素）に格納され得る。さらに、システムソフトウェア、特定のデバイスアプリケーションまたはそのパーツが揮発性格納装置（例えば、ランダムアクセスメモリ（ＲＡＭ）１１８０に一時的にロードされ得る。モバイルデバイスによって受信される通信信号は、また、ＲＡＭ１１８０に格納され得る。
【００３２】
処理デバイス１８００は、そのオペレーティングシステム機能と共に、デバイス１０００上で、ソフトウェアアプリケーション１３００Ａ〜１３００Ｎの実行を可能にする。基本的なデバイス動作（例えば、データ通信１３００Ａおよび音声通信１３００Ｂ）を制御する所定のセットのアプリケーションが、製造中に、デバイス１０００上にインストールされ得る。さらに、個人情報マネージャ（ＰＩＭ）アプリケーションが、製造中にインストールされ得る。ＰＩＭは、データアイテム（例えば、ｅ−ｍａｉｌ、カレンダーイベント、音声メール、アポイントメントおよびタスクアイテム）を編成および管理することが可能であり得る。ＰＩＭアプリケーションは、また、ワイヤレスネットワーク１４０１を経由して、データアイテムを送受信することが可能であり得る。ＰＩＭデータアイテムは、ワイヤレスネットワーク１４０１を経由して、ホストコンピュータシステムに格納または関連付けられた対応するデータアイテムで、シームレスに統合、同期およびアップデートされ得る。
【００３３】
データ通信および音声通信を含む通信機能は、通信サブシステム１００１を介して、そして可能性としては、短距離通信サブシステムを介して行われる。通信サブシステム１００１は、受信器１５００と、伝送器１５２０と、１つ以上のアンテナ１５４０および１５６０とを含む。さらに、通信サブシステム１００１は、また、処理モジュール（例えば、デジタル信号プロセッサ（ＤＳＰ）１５８０）と、ローカルオシレータ（ＬＯ）１６０１とを含む。通信サブシステム１００１の特定の設計および実装は、モバイルデバイス１０００が動作することを意図される通信ネットワークに依存する。例えば、モバイルデバイス１０００は、ＭｏｂｉｔｅｘＴＭ、Ｄａｔａ  ＴＡＣＴＭまたはＧｅｎｅｒａｌ  Ｐａｃｋｅｔ  Ｒａｄｉｏ  Ｓｅｒｖｉｃｅ（ＧＰＲＳ）モバイルデータ通信ネットワークで動作するように設計され、そして、任意の種々の音声通信ネットワーク（例えば、ＡＭＰＳ、ＴＤＭＡ、ＣＤＭＡ、ＷＣＤＭＡ、ＰＣＳ、ＧＳＭ、ＥＤＧＥなど）で動作するようにも設計される通信サブシステム１００１を含み得る。他のタイプのデータネットワークおよび音声ネットワーク（別個であっても統合されていても）は、また、モバイルデバイス１０００と共に利用され得る。モバイルデバイス１０００は、また、他の通信規格（例えば、３ＧＳＭ、３ＧＰＰ、ＵＭＴＳ、４Ｇなど）と適合し得る。
【００３４】
ネットワークアクセス要件は、通信システムのタイプに依存して変わる。例えば、ＭｏｂｉｔｅｘおよびＤａｔａＴＡＣネットワークにおいて、モバイルデバイスは、各デバイスに関連付けられた一意的な個人識別番号またはＰＩＮを用いてネットワーク上に登録される。しかし、ＧＰＲＳネットワークにおいて、ネットワークアクセスは、加入者またはデバイスのユーザと関連付けられない。結果として、ＧＰＲＳデバイスは、ＧＰＲＳネットワーク上で動作するために、典型的に、加入者識別モジュール（一般的にはＳＩＭカードという）の使用を含む。
【００３５】
要求されたネットワーク登録または起動手順が完了するとき、モバイルデバイス１０００は、通信ネットワーク１４０１を介して通信信号を送受信し得る。通信ネットワーク１４０１からアンテナ１５４０によって受信された信号は、受信器１５００に経路設定され、受信器１５００は、信号増幅、周波数下方変換、フィルタリング、チャネル選択などを提供し、また、アナログデジタル変換も提供し得る。受信された信号のアナログデジタル変換は、ＤＳＰ  １５８０が、より複雑な通信機能（例えば、復調および復号）を行うことを可能にする。同様の態様で、ネットワーク１４０１に伝送される信号がＤＳＰ１５８０によって処理（例えば、変調および符号化）され、次いで、デジタルアナログ変換、周波数上方変換、フィルタリング、増幅およびアンテナ１５６０を経由したネットワーク１４０１（または複数のネットワーク）への伝送のために伝送器１５２０に提供される。
【００３６】
通信信号の処理に加え、ＤＳＰ  １５８０は、受信器１５００および伝送器１５２０の制御を提供する。例えば、受信器１５００および伝送器１５２０において通信信号に適用されたゲインは、ＤＳＰ  １５８０に実装された自動ゲイン制御アルゴリズムを介して適応するように制御され得る。
【００３７】
データ通信モードにおいて、受信された信号（例えば、テキストメッセージまたはウェブページダウンロード）が、通信サブシステム１００１によって処理され、処理デバイス１８００に入力される。次いで、受信された信号は、ディスプレイ１６００または代替的にいくつかの他の補助Ｉ／Ｏデバイス１０６０への出力のために処理デバイス１８００によってさらに処理される。デバイスは、また、データアイテム（例えば、ｅ−ｍａｉｌメッセージ）を、キーパッド１４００および／またはいくつかの他の補助Ｉ／Ｏデバイス１０６０（例えば、タッチパッド、ロケットスイッチ、サムホイールまたはいくつかの他のタイプの入力デバイス）を用いて結合するために使用され得る。結合されたデータアイテムは、次いで、通信サブシステム１００１を経由して、通信ネットワーク１４０１を介して伝送され得る。
【００３８】
音声通信モードにおいて、デバイスの全体の動作は、受信された信号がスピーカ１１００に出力され、伝送のための信号がマイクロフォン１１２０によって生成されることを除いて、データ通信モードに実質的に類似している。代替的な音声またはオーディオＩ／Ｏサブシステム（例えば、音声メッセージ記録サブシステム）もまた、デバイス１０００に実装され得る。さらに、ディスプレイ１６００は、また、例えば、発呼者の識別、音声コールの持続時間、または他の音声コール関連情報を表示するために、音声通信モードで利用され得る。
【００３９】
短距離通信サブシステムは、モバイルデバイス１０００と他の近位のシステムまたはデバイス（必ずしも類似のデバイスである必要はない）との間の通信を可能にする。例えば、短距離通信サブシステムは、同様に実行可能なシステムおよびデバイスとの通信を提供するために、赤外線デバイスならびに関連する回路および構成要素またはＢｌｕｅｔｏｏｔｈＴＭ通信モジュールを含み得る。
【００４０】
前述の記述および関連する図面に提示された教示の利益を有する多くの修正および他の実施形態を当業者が思いつくだろう。したがって、さまざまな修正および実施形態は、添付の特許請求の範囲の範囲内に含まれることが意図されていると理解される。
【符号の説明】
【００４１】
３０  近距離通信（ＮＦＣ）システム
３１  プラグインデバイス
３２  第１のＮＦＣセンサーまたは回路
３３  モバイルワイヤレス通信デバイス
３４  ポータブルハウジング
３５  第２のＮＦＣセンサーまたは回路
３６  プラグインデバイスポート
３７  光源
３８  光学センサー
３９  コントローラ
【図１】
2012044662.tif 000003
【図２】
2012044662.tif 000004
【図３】
2012044662.tif 000005
【図４】
2012044662.tif 000006
【図５】
2012044662.tif 000007
【図６】
2012044662.tif 000008
【図７】
2012044662.tif 000009
【図８】
2012044662.tif 000010